(57)【特許請求の範囲】
【請求項１】
上ケースと下ケースとがケースを構成し、その内部に金属シャーシに搭載されたパッチアンテナおよび電子部品を搭載した制御基板を収納した移動体情報識別装置において、
上ケースの内面から垂直に突出するように設けられた複数の上ケース取り付け部および下ケースの内面から垂直に突出するように設けられ、上ケースの複数の取り付け部と対向するように設けられた複数の下ケース取り付け部であって、金属シャーシが上ケース内に保持されるように、金属シャーシを相互間に挟持することができる複数の上ケース取り付け部および複数の下ケース取り付け部と、
金属シャーシを相互間に挟持した複数の上ケース取り付け部および複数の下ケース取り付け部を取り外し可能に結合するケース結合部材と、
制御基板が金属シャーシの下側に配置されるように、制御基板を金属シャーシに取り付ける制御基板取り付け手段とを有し、
前記金属シャーシおよびパッチアンテナが下ケースの外側まで水平に広がる大きさの場合、上ケース取り付け部の位置および形状と、下ケース取り付け部の位置および形状は変更せず、前記制御基板は下ケース内に保持され、上ケースの水平方向の外形のみを大きくしたことを特徴とする移動体情報識別装置。
【発明の詳細な説明】
【０００１】
【発明の属する技術分野】
この発明は、移動体情報識別装置に関し、特に、上ケースと下ケースとがケースを構成し、その内部に金属シャーシに搭載されたパッチアンテナおよび電子部品を搭載した制御基板を収納した移動体情報識別装置に関する。
【０００２】
【従来の技術】
この種の従来の移動体情報識別装置は、無線等により移動体識別カード（電源を保持していない）に非接触で電力を伝送し、その電力で移動体識別カードを動作させるものである。この場合、従来の移動体情報識別装置において、アンテナ等の内部部品をケースよりも大きくしなければならない場合、ケースはもちろん内蔵される制御基板も変更している。
【０００３】
【発明が解決しようとする課題】
上述した従来の移動体情報識別装置においては、内蔵されるアンテナ（パッチアンテナ）の大きさや形状をケースよりも大きくする等の変更をしなければならないことが生じるが、この場合、ケースはもちろん内蔵される制御基板も変更しなければならないために、開発工期が長期化し、その費用も大きくなるという問題がある。
【０００４】
この発明は、上記問題点を解決するためになされたものであって、内蔵されるアンテナの大きさや形状をケースよりも大きくする等の変更をしなければならないことが生じても、制御基板等の主要部分は、その構造を変更せずに短期に実現できる移動体情報識別装置を提供することを目的とする。
【０００５】
【課題を解決するための手段】
前述した課題を解決するために、この発明は、上ケースと下ケースとがケースを構成し、その内部に金属シャーシに搭載されたパッチアンテナおよび電子部品を搭載した制御基板を収納した移動体情報識別装置において、上ケースの内面から垂直に突出するように設けられた複数の上ケース取り付け部および下ケースの内面から垂直に突出するように設けられ、上ケースの複数の取り付け部と対向するように設けられた複数の下ケース取り付け部であって、金属シャーシが上ケース内に保持されるように、金属シャーシを相互間に挟持することができる複数の上ケース取り付け部および複数の下ケース取り付け部と、金属シャーシを相互間に挟持した複数の上ケース取り付け部および複数の下ケース取り付け部を取り外し可能に結合するケース結合部材と、制御基板が金属シャーシの下側に配置されるように、制御基板を金属シャーシに取り付ける制御基板取り付け手段とを有する。
【０００６】
このような構成によれば、上ケースの大きさを金属シャーシおよびそれに搭載されたパッチアンテナの大きさに適応させることのみにより、金属シャーシおよびパッチアンテナの変更を金属シャーシの下側に配置される部品とは無関係に移動体情報識別装置において実現することができる。
【０００７】
そして、この発明の実施の形態では、アンテナが４パッチアンテナ１４からサイズの大きな１６パッチアンテナ１１４に変更された場合、１６パッチアンテナ１１４を保持する金属シャーシ１１３を大きくし、大きくなった１６パッチアンテナ１１４とそれを保持する金属シャーシ１１３を収容できるように、上ケースを上ケース１１０のように大きくするだけで、その他の制御基板２４や放熱板２６等を変更せず、上ケース取り付け部１１や下ケース取り付け部２１の取り付け位置や取り付け構造等を変更しなくても移動体情報識別装置を実現することができる。
【０００８】
また、この発明において、前記金属シャーシおよびパッチアンテナが下ケースの外側まで水平に広がる大きさの場合、上ケース取り付け部の位置および形状は変更せずに、上ケースの水平方向の外形のみを大きくする。
【０００９】
このように構成することによって、金属シャーシおよびそれに搭載されたパッチアンテナケースをケースよりも大きくしなければならない場合にも、大きくなった金属シャーシおよびそれに搭載されたパッチアンテナを収容できるように、上ケースを大きくすることによって、その他の部品や取り付け構造等は、変更しなくても移動体情報識別装置を実現することができる。
【００１０】
そして、この発明の実施の形態では、金属シャーシおよびアンテナが金属シャーシ１１３および１６パッチアンテナ１１４のように大きくなっても、上シャーシの外縁を外側に延ばして上ケース１１０のような形状にすることによって移動体情報識別装置を実現できる。
【００１１】
【発明の実施の形態】
以下、この発明の実施の形態について添付図面に基づいて説明する。図１は、この発明の移動体情報識別装置の実施の形態１を示す斜視図、図２は、図１の移動体情報識別装置をラインＡ−Ａから見た断面図、図３は、図１および図２に示される移動体情報識別装置に組み込まれている４パッチアンテナを示す図、図４は、図１および図２によって示された移動体情報識別装置の組み立て構造を説明する図、図５は、この発明の移動体情報識別装置の実施の形態２を示す斜視図、図６は、図５の移動体情報識別装置をラインＢ−Ｂから見た断面図、図７は、図５および図６に示される移動体情報識別装置に組み込まれている１６パッチアンテナを示す図である。なお、図面中の括弧内に記載された寸法数字はｍｍ単位で示されている。
【００１２】
（実施の形態１）
図１に示された移動体情報識別装置１０１は、ＡＢＳ等のプラスチック製の上ケース１０と下ケース２０とに収納される。その内部の構造は図２に示されるように、上ケース１０には、内面から下方に垂直に突出する上ケース取り付け部１１が設けられ、その中央にはねじ山が切られた取り付け孔が設けられている。下ケース２０には、内面から上方に垂直に突出する下ケース取り付け部２１が設けられ、その中央にはケース結合ねじ１２のための孔があけられている。上ケース１０と下ケース２０との組み立て時に上ケース取り付け部１１と下ケース取り付け部２１とは互いに対向するような位置に設けられており、上ケース取り付け部１１と下ケース取り付け部２１との長さは、相互の間に金属シャーシ１３を挟んで、下ケース取り付け部２１の孔および金属シャーシの取り付け孔を通って上ケース取り付け部１１のねじ山に螺合するケース結合ねじ１２によって結合された場合に、金属シャーシ１３が上ケース内に収容されるような長さに設定されている。
【００１３】
上述の金属シャーシ１３の上面にはスペーサによって金属シャーシ１３から所定の間隔を開けられた（図４参照）４パッチアンテナ１４（図３参照）が取り付けられている。また、金属シャーシ１３の下面にはセルスペーサ１６によって金属シャーシ１３から所定の間隔を開けられた制御基板２４が基板取り付けねじ２２によって金属シャーシ１３に取り付けられている。制御基板２４の下面には電子部品２５が組み付けられており、制御基板２４の上面には電子部品２５が発生する熱を放出するための放熱板２６が組み付けられている。この場合、放熱板２６の厚み等の寸法は、制御基板２４が金属シャーシ１３に取り付けられるとき、放熱板２６の上面が金属シャーシ１３の下面に当接し、放熱効果を向上させるように設定されている。
【００１４】
次に、図１および図２によって示された移動体情報識別装置の組み立てに関して図４を参照して説明をする。金属シャーシ１３の上面には４パッチアンテナ１４を取り付けるためのセルスペーサ１５が４個、金属シャーシ１３の下面には制御基板２４を取り付けるためのセルスペーサ１６が４個それぞれ取り付けられている。金属シャーシ１３の上面のセルスペーサ１５に４パッチアンテナ１４をアンテナ取り付けねじ１７により取り付ける。次に、電子部品２５および放熱板２６が組み付けられた制御基板２４を基板取り付けねじ２２により金属シャーシ１３の下側のセルスペーサ１６に取り付ける。これらのサブ組み立てが完了した金属シャーシ１３の取り付け孔１９と、上ケース取り付け部１１の中心に設けられ、ねじ山が切られた孔と、下ケース取り付け部２１の孔とを一致させ、下ケース取り付け部２１の下方からケース結合ねじ１２を差し込んで、上ケース取り付け部１１のねじ山に螺合させることにより、上ケース取り付け部１１と下ケース取り付け部２１との間に金属シャーシ１３を挟持して金属シャーシ１３およびそれに組み付けられた部材を上下ケース１０，２０の中に安定に収納する。
【００１５】
（実施の形態２）
さらに、この発明の実施の形態２について図５ないし図７を参照して説明する。この実施の形態２の移動体情報識別装置１０２は、図５および図６に示されるように、図１および図２によって示される実施の形態１の移動体情報識別装置１０１に比較して、金属シャーシ１１３および１６パッチアンテナ１１４（図７参照）が実施の形態１の金属シャーシ１３および４パッチアンテナ１４に比較して約４倍の大きさにされている。そこで、上ケース１１０は、金属シャーシ１１３および１６パッチアンテナ１１４を収容することができるように水平方向に延ばされ大きくされている。しかし、上ケース取り付け部１１および下ケース取り付け部２１等は、その位置および形状が変更されておらず、実施の形態１の場合と共通して用いることができ、したがって、制御基板２４や放熱板２６等の上ケース１１０と金属シャーシ１１３と１６パッチアンテナ１１４を除く他の部品は、実施の形態１の移動体情報識別装置１０１と共通に使用することができる。このことにより、内蔵されるアンテナ（パッチアンテナ）およびそれを保持する金属シャーシの大きさや形状をケースよりも大きくする等の変更をしなければならないことが生じても、上ケースのみ変更すればよく、開発工期を短縮でき、加工用の金型なども共通に使用でき、ひいては、移動体情報識別装置の製造費用を低減することも可能であるという利点がある。
【００１６】
【発明の効果】
以上に詳述したように、この発明の移動体情報識別装置は、上ケースと下ケースとがケースを構成し、その内部に金属シャーシに搭載されたパッチアンテナおよび電子部品を搭載した制御基板を収納した移動体情報識別装置において、上ケースの内面から垂直に突出するように設けられた複数の上ケース取り付け部および下ケースの内面から垂直に突出するように設けられ、上ケースの複数の取り付け部と対向するように設けられた複数の下ケース取り付け部であって、金属シャーシが上ケース内に保持されるように、金属シャーシを相互間に挟持することができる複数の上ケース取り付け部および複数の下ケース取り付け部と、金属シャーシを相互間に挟持した複数の上ケース取り付け部および複数の下ケース取り付け部を取り外し可能に結合するケース結合部材と、制御基板が金属シャーシの下側に配置されるように、制御基板を金属シャーシに取り付ける制御基板取り付け手段とを有することにより、上ケースの大きさを金属シャーシおよびそれに搭載されたパッチアンテナの大きさに適応させることのみにより、金属シャーシの下側に配置される部品とは無関係に移動体情報識別装置を実現することができる。
【００１７】
また、この発明において、前記金属シャーシおよびパッチアンテナが下ケースの外側まで水平に広がる大きさの場合、上ケース取り付け部の位置および形状は変更せずに、上ケースの水平方向の外形のみを大きくすることによって、金属シャーシおよびそれに搭載されたパッチアンテナケースをケースよりも大きくしなければならない場合にも、大きくなった金属シャーシおよびそれに搭載されたパッチアンテナを収容できるように、上ケースを大きくすることによって、その他の部品や取り付け構造等は、変更しなくても移動体情報識別装置を実現することができる。
【図面の簡単な説明】
【図１】この発明の移動体情報識別装置の実施の形態１を示す斜視図である。
【図２】図１の移動体情報識別装置をラインＡ−Ａから見た断面図である。
【図３】図１および図２に示される移動体情報識別装置に組み込まれている４パッチアンテナを示す図である。
【図４】図１および図２によって示された移動体情報識別装置の組み立て構造を説明する図である。
【図５】この発明の移動体情報識別装置の実施の形態２を示す斜視図である。
【図６】図５の移動体情報識別装置をラインＡ−Ａから見た断面図である。
【図７】図５および図６に示される移動体情報識別装置に組み込まれている１６パッチアンテナを示す図である。
【符号の説明】
１０，１１０    上ケース
１１    上ケース取り付け部
１２    ケース結合ねじ
１３，１１３    金属シャーシ
１４    ４パッチアンテナ
１５，１６    セルスペーサ
１７    アンテナ取り付けねじ
１９    取り付け孔
２０    下ケース
２１    下ケース取り付け部
２２    基板取り付けねじ
２４    制御基板
２５    電子部品
２６    放熱板
１０１，１０２    移動体情報識別装置
１１４  １６パッチアンテナ
【図１】
0004002049.tif 000002
【図２】
0004002049.tif 000003
【図３】
0004002049.tif 000004
【図４】
0004002049.tif 000005
【図５】
0004002049.tif 000006
【図６】
0004002049.tif 000007
【図７】
0004002049.tif 000008